(57)【要約】      （修正有）【課題】手作業で組紐を作る際に紐の端を固定するために使用する組紐製作補助具であって、机上で着脱自在である一方、作業中は強い机上接着力を生じさせ、また手作業をする作業者に適切な反力を感じさせられ、これにより組紐製作作業の的確性を図ることができる補助具を提供する。【解決手段】弾性粘着材１０５−１，１０５−２を付した底面板１０３と、紐を固定するクリップ係止部１０１と、クリップ係止部と底面板とを離隔する離隔部材１０２とを備え、底面板の作業空間側端部でクリップ係止部と底面板との間で鋭角をなすように離隔部材を配置する。これにより使用時に机上面での押圧力を強めて強い接着力を生じ、また弾性粘着材により使用時に適切な反力が生じるようになる。【選択図】図１
0003190515.tif 000002
【実用新案登録請求の範囲】
【請求項１】
人手により線状素材を組み合わせる紐製作を補助する組紐製作補助具であって、
底面板と、
該底面板底側に設けた弾性粘着材と、
該線状素材を挟持するクリップを係止するクリップ係止部と
該底面板表側で該底面板から所定距離を保った位置に該クリップ係止部を離隔させ、かつ作業空間側の該底面板端部からみたクリップ係止部までの方向が該底面板と鋭角になるように設けられた離隔部材と、
を具備することを特徴とする組紐製作補助具。
【請求項２】
前記離隔部材は前記底面板に一辺が連接した板状材であって、前記クリップ係止部は該離隔部材のうち底面板と連接する辺とは反対側の縁辺近傍に凹設する溝であること
を特徴とする請求項１に記載の組紐製作補助具。
【請求項３】
前記離隔部材の前記所定距離は、前記底面板から法線方向に１０ｃｍ以上とすること
を特徴とする請求項１に記載の組紐製作補助具。
【考案の詳細な説明】
【技術分野】
【０００１】
本考案は、組紐を手組みによって製作する際に使用し、組紐の一端を弾性をもたせつつ固定する補助具に関する。詳しくは、製作する紐を固定する位置を机上から所定の高さに離して手組み作業の効率を向上させ、かつ机上での補助具設置位置に自由度を維持しつつも、弾性粘着材に強い粘着力を生じさせるように構成した組紐製作補助具に係るものである。
【背景技術】
【０００２】
（１  本件考案に至るコンセプト）
近時、風船を素材に使って身の回り品や服装を製作するバルーンアートに脚光が当たっている。
【０００３】
考案者は日頃、アーティスト・クラフト作家として、手軽で楽しく、生活を豊かにし、それでいて斬新さを感じられる技芸を模索していたところ、このバルーンアートの面白さに着目し深く探求するに至った。また、風船としての使用を終えた後にこれを再利用すると面白いのではないかという点に着目し、ゴム風船を素材にして組紐を製作するという技芸に想到した。
このような技芸品の製作は、作り方に知的創造性を、表現そのものに芸術性を、それぞれ必要とすることはもちろん、手先を使うという脳訓練の点からも優れていると考えている。このため、バルーンアートは高齢者化・自己実現の重視という背景からも今後我が国の社会において重要性が高まると考えている。
【０００４】
考案者は、上記の視点から組み紐の製作、特にゴム製バルーンを素材にした組紐の製作を手軽にし、愛好者の裾野を広げたいと考えている。
組紐の製作を手軽にするためには、その製作を補助する道具が重要になる。本考案はこのようなコンセプトの下で完成したものである。
【０００５】
（２  本件考案に係る背景技術）
従来、組紐を手作りで行うための補助具としては、片手に持ち、糸を供給しながら柱状に組みあげる「リリアン」（または「リリヤン」）が著名である。非特許文献１は、リリアンを説明するクロバー株式会社の商品紹介の記事である。
【０００６】
しかし、非特許文献１に示されるような補助具は、糸・毛糸などの比較的細い素材を用いるには便利なものであるものの、風船ゴムなどの比較的太い素材を用いるときには別に大きさの異なる補助具が必要となる。そして、組紐に特化した補助具として他のものが見あたらないのが実情である。
【０００７】
ところで、組紐を手組みするときには、糸や毛糸などの線状素材に張力をかけながら、その張力の程度を手で感じて作業を進める。このため、組んでいく素材の一端はどこかに固定しておいて、張力をかけても紐自体が動かないようにすることが望ましい。
この点、和裁の領域では同様の機能をもつものとして、「絎台（くけだい）」と呼ばれる補助具が知られている。
【０００８】
絎台は、非特許文献２に示されるように、２種類に大別できる。非特許文献２は、絎台について概括的に説明するｗｉｋｉｐｅｄｉａ（登録商標）の記事である。ここに示されるように絎台を種類別にすると、ひとつは机上で固定するもの、もうひとつは、座布団と床の間に挟んで固定する等、机上ではないところに固定するものとなっている。
【０００９】
本考案が対象としている組紐の製作は、作業領域を机上とする。このため以下、机上で利用することが前提となっているものに絞って先行技術をみていくこととする。
【００１０】
非特許文献３は、クロバー株式会社によって製造される机上絎台の商品紹介である。ここに示されるように、机上で用いる「絎台」は机の縁辺端部に螺子によって固定するのが通常である。
【００１１】
非特許文献４は、同じくクロバー株式会社によって製造され、上記絎台とともに利用される「かけはり」の商品紹介である。ここに示されるように、机の端部に螺子によって固定する「絎台」は、かけはりと併せて利用するのが通常である。かけはりは絎台に紐などで繋留し、工作対象物をかけはりで挟み付けるようにして使用する。これにより、絎台と工作対象物との距離を制限しつつ、工作対象物を落ちないように浮かせることで、工作対象物の工作容易を図るようになっている。
【００１２】
もっとも、これらの補助具を用いると、固定端は机の縁辺端部付近に制限されることになる。また、非特許文献３に示されるような絎台は、固定端が螺子固定部材の端部に制限されるので、机上から浮かせる高さが固定されることになる。
【００１３】
一方、絎台としては、特許文献１に示されるように、座敷において固定する装置が提案されている。
しかし、この絎台は、固定のために座椅子を使用することが前提となっており、机上の手軽な作業には難がある。
【先行技術文献】
【非特許文献】
【００１４】
【非特許文献１】クロバー株式会社  フレンチ・リリアン  商品紹介＜ＵＲＬ：http://www.clover.co.jp/seihin/frenchlilian.shtml＞
【非特許文献２】Ｗｉｋｉｐｅｄｉａ（登録商標）のページ「くけ台」  ＜ＵＲＬ：http://ja.wikipedia.org/wiki/絎台＞
【非特許文献３】クロバー株式会社  机上絎台（品番 : 31-101）  商品紹介＜ＵＲＬ：https://www.bienfait.jp/cgi-bin/clover_search/syousai/index.html?hinnban=31101＞ または、＜ＵＲＬ：http://www.clover.co.jp/search/index.shtml  から「机上くけ台」で検索＞
【非特許文献４】クロバー株式会社  かけはり（品番 : 31-211）  商品紹介＜ＵＲＬ：https://www.bienfait.jp/cgi-bin/clover_search/syousai/index.html?hinnban=31211＞ または、＜ＵＲＬ： http://www.clover.co.jp/search/index.shtml  から「かけはり」で検索＞
【特許文献】
【００１５】
【特許文献１】実開平３−９８５号公報
【考案の概要】
【考案が解決しようとする課題】
【００１６】
前記非特許文献３・非特許文献４に示すような絎台・かけはりを素材の固定に用いた場合、確かに工作対象物の一端を固定するという目的を達成することはできる。
【００１７】
しかし、張力がかかっても伸縮しない素材で紐組み作業をする場合に上記先行技術のような絎台を用いると、絎台の位置は絶対的に固定されていて、弛んだ状態から引っ張った状態に至る間で張力を比例的かつ緩やかに変化させることは困難であることから、適切な張力を感覚的に把握して紐組みすることが難しい。
【００１８】
また、絎台の高さは螺子の長さで決まるため、取り付ける机面板の厚さによって異なることとなり、作業机を換えると手作業において最適な高さを維持できず、机毎に最適な長さをもつ取り付け螺子に換える必要がある。更に、取り付け位置が机の端辺に限られるため、取り付け自由度に欠ける難がある。
【課題を解決するための手段】
【００１９】
本願考案は、上記問題点の軽減を図るためにされたものであり、その本質とするところは、組紐を手作業で製作するための補助具として、線状素材の一端を机上の自由な位置で把持することができるようにし、しかも素材にかける張力を適切に感じながら手組み作業ができるように構成した点にある。
【００２０】
すなわち、本願請求項１に係る第一の考案は、底面板と、底面板底側に設けた弾性接着材と、線状素材を把持・固定するクリップを係止するクリップ係止部と、そのクリップ係止部を底面板から所定距離で離隔させ、かつ作業空間側の底面板端部からみて該クリップ係止部と該底面板とが鋭角に位置するように設けられた離隔部材と、を具備する組紐製作補助具に係る。
【００２１】
ここで、底面板は、後述する離隔部材とを一体としてみた場合に「組紐支持体」とでもいうべきものの一部分である（以下、説明の便宜上、離隔部材と底面板を一体として組紐支持体というものとする）。
底面板は、設置する机の上で組紐支持体を安定させるように作用する。
【００２２】
弾性粘着材は、底面板底側に設けられ、それ自身は弾性を有し、また弾性粘着材に面で接した物を所定の力がかけられるまでは離れ難くなるように作用する。また、弾性を有するために、本部材に粘着された複数の物は応力に従って位置関係が微少ながら変位できるように作用する。また、接着と異なり、離反する方向に所定以上の強い力をかけると、組紐支持体を机から容易に剥離できるように作用する。このため、結果として前記「組紐支持体」を机の上に弾性的に固定させることができるように作用する。
【００２３】
なお説明の都合上、本願明細書において「弾性的」とは、弾性粘着材に当着している物同士が完全に固着しているのではなく、一定の力がかかったときに、かかった力に応じて微少ながら変位する状態を維持することをいう。
また、「粘着」とは、弾性粘着材に当接している物を完全に固着するのではなく、圧接させたときには、弾性的に接着する一方、剥離方向に所定以上の力がかかったときには底面板と机上面とが剥離することができるようになっていることをいう（以下、同じ）。
【００２４】
離隔部材は、底面板の表側に設けられ、組み上げる線状素材をグリップする位置が机から一定距離離隔した位置になるように、後述するクリップ係止部を底面板から離隔する部材である。離隔部材は、クリップ係止部を底面板から一定の距離を保つように離隔させるだけでなく、作業空間側の該底面板端部からみたクリップ係止部までの方向が該底面板と鋭角をなすように維持する。これにより、後述するクリップ係止部に作業空間側から引っ張り力がかかったとき、作業空間側の底面板端部で底面板が弾性粘着材を押圧するように作用する。
ここで「作業空間側」とは、本組紐支持体（２０４）を基準視点とした位置関係であって、組紐を製作する者が手作業をする位置が含まれる側のことをいう（以下、本願明細書において同じ）。
【００２５】
クリップ係止部は、離隔部材の上記一端近傍に設けられ、クリップを離隔部材に係止できるようになっている。クリップは組紐の素材である線状素材を挟持することができるので、クリップ係止部は、クリップを介して、手作業中に係止する線状素材を離隔部材に固定することができるように作用する。
【００２６】
次に、本願請求項２に係る第二の考案は、前記第一の考案における離隔部材について、底面板に一辺が連接した板状部材にするとともに、前記クリップ係止部は該板状部材に凹設する溝としたものである。
【００２７】
離隔部材底面板に一辺が連接した板状部材としたことは、組紐支持体を一体化した部材としうるために、底面板と離隔部材との位置関係を安定的・固定的なものとなるように作用する。また、底面板に一辺を連接させたことにより、組み上げ作業中の組紐に張力をかけたときに、その張力が無理なく底面板に伝わるように作用する。
【００２８】
凹設する溝は、線状素材とともにクリップの作用端が咬み入りやすくするように作用する。
【００２９】
次に、本願請求項３に係る第三の考案は、前記離隔部材の前記「所定距離」が前記底面板から法線方向に１０ｃｍ以上となるようにした組紐製作補助具に係るものである。
「１０ｃｍ」は、大人の拳の小指から人差し指までの長さとほぼ同程度である。クリップ係止部を底面板から１０ｃｍ以上に離したことは、組紐手作業中に組紐が机面とほぼ平行に維持し、または手作業の位置をクリップ係止部より低い位置に維持するように作用する。
【考案の効果】
【００３０】
本考案によれば、以下のような効果がある。
すなわち、第一の考案によれば、隔離部材が弾性粘着材・底面板を介して机上に固定されているので、クリップ係止部に力が加わったときに、その加えられた力の方向に弾力をもって変位し、補助具が剥がれない限り、その反作用として加えられた力に反する力の分だけの力が生じることになる。クリップ係止部にはクリップを用いて組紐の一端が着けられているので、紐を組むひとは、手に紐の張力を直接かつ適切に感じながら作業をすることができるようになる。このことは、特に素材自体が伸縮しにくい場合、すなわち素材が大きな弾性係数をもつものである場合に作業性を向上させる意義がある。
【００３１】
また、隔離部材について作業空間側の該底面板端部から見てクリップ係止部までの方向と該底面板との間で鋭角をなすこととしているので、工作中の組紐を引っぱることにより底面板底部に付設した弾性粘着材に圧縮させる力がかかり、素材に張力をかけても剥がれ難い一方、張力をかけなければ容易に剥離でき、従って机上であれば自由な位置に本考案にかかる組紐製作補助具を設置することが可能となる。
【００３２】
また、第二の考案によれば、離隔部材に板状部材を用いたことから組紐支持体部分を一体成型できるので、機械的に堅牢な補助具に仕上げられるとともに、張力と組紐支持体の変位との関係に前記弾性粘着材由来の要素以外のものを概ね排除できる。このことから、工作中の組紐の張力と本補助具の変位とが単調増加関数の関係になり、手作業における線状素材への張力の印加と、手が受ける感覚となる張力の反作用とが整合し、的確な紐組み作業に資するようになる。
また、その上で離隔部材が板状部材であることからクリップ係止部は単に溝を凹設すれば済み、本補助具の製造コストの低下に資することになる。
【００３３】
更に、第三の考案によれば、机上面からクリップまでの距離が大人の拳の小指から人差し指までの長さとほぼ同程度となり、作業中の組紐を机面にほぼ平行または手作業の位置をクリップ係止部より低い位置に維持することができ、手先の作業点と目線との関係が自然な関係となり、作業の効率化・的確性向上を図ることができるようになる。
【図面の簡単な説明】
【００３４】
【図１】図１は、本考案についての第一の実施の形態に係る外観図である。
【図２】図２は、ゴム組紐を製作するにあたって第一の実施の形態に係る補助具を使用するときの、使用状況説明図である。
【図３】図３は、第一の実施の形態として補助具を利用するときの、クリップ係止部周辺を側方から見たときの使用状況説明図である。
【図４】図４は、本考案についての第二の実施の形態について、補助具裏面斜め側方の外観図である。
【図５】図５は、第二の実施の形態についての、クリップ係止部周辺を側方から見たときの状況説明図である。
【図６】図６は、第一の実施の形態として補助具を利用するときの、作業空間と補助具との関係を示す使用状況説明図である。
【図７】図７は、第一の実施の形態に係る力学的関係説明図である。
【図８】図８は、第三の実施の形態に係る外観図である。
【考案を実施するための形態】
【００３５】
本考案を実施するための形態については、以下の目次に沿って説明する。
【００３６】
［目次］
（１．  第１の実施の形態について）
（１．１．  構成について）
（１．２．  取り扱いについて）
（１．３．  離隔部材と底面板とを鋭角に保つ意義）
（２．  第二の実施の形態について）
（３．  第三の実施の形態について）
（４．  組紐をゴム風船素材とする場合）
（５．  その他の実施の形態について）
（５．１．  クリップ係止部について）
（５．２．  弾性粘着材を取り付ける底面板での位置について）
【００３７】
［本文］
（１．  第１の実施の形態について）
本考案に係る第一の実施の形態について、図１、図２、図３、図６、図７を用いて説明する。
（１．１．  構成について）
まず、図１を用いてその構成について説明する。
【００３８】
図１は、本考案である補助具に係る第一の実施の形態の外観図である。
なお説明の便宜上、離隔部材（１０２）、底面板（１０３）を合わせ、「組紐支持体」（１０４）と言い換えることがある。
【００３９】
クリップ係止部（１０１）は、離隔部材（１０２）の上端付近に設けられ、図示しないクリップで製作中の組紐とともに挟み込まれ、組紐を組紐支持体（１０４）に固定できるようになっている。
クリップ係止部は、共に挟み込まれた組紐に張力がかかっても組紐が容易に外れないようにするものであればよく、形状は、たとえば長手方向を底面板と平行においた円柱のようなものでよい。また、円柱形状を基調にするにしても、離隔部材と一体成型してもよい。
【００４０】
底面板（１０３）は、板状部材であって、後述する弾性粘着材（１０５−１、１０５−２）を介して机上に組紐支持体（１０４）を固定するための基準面として作用する。底面板は組紐支持体を机上に粘着固定する基準となるものであればよく、形状・材質は問わない。デザインを考慮しつつ、たとえば矩形の透明アクリル板とすればよい。
【００４１】
離隔部材（１０２）は、底面板（１０３）とクリップ係止部（１０１）とを一定距離以上に保つように離隔するようになっている。離隔部材（１０２）は底面板とクリップ係止部との間を一定距離以上に離し、これを保つようになっていればよく、材質・形状にこだわらない。もっとも、底面板を矩形にした場合には、離隔部材も矩形形状とし、底面板の一辺と離隔部材の一辺とを連接するように構成すれば底面板と離隔部材を一体の平板から製造することができる。具体的には、アクリル板を加熱して折り曲げるなどにより、一体化した部材とすることが可能となる。
【００４２】
弾性粘着材（１０５−１，１０５−２）は、底面板裏面に取り付けられ、底面板（１０３）と図示しない机上面との間に位置し、両者を弾性的に固定させるようになっている。
【００４３】
弾性粘着材の素材は、たとえば「耐震ジェルマット」などの名称で知られているウレタン・エラストマなどを用いればよい。
【００４４】
弾性粘着材は底面板全面にわたって付設することが望ましい。もっとも、部品入手が困難であれば全面に渡らなくても構わないが、底面板の一部に付設するときには底面板の裏面のうち作業空間側の端部に近いところに集約して付設することが望ましい。この理由については、後に図７を用いて説明する。
【００４５】
また、弾性粘着材は、底面板側で強い粘着、机上面が当接する側で弱い粘着となることが望ましい。本補助具を机上から引き剥がすときに、弾性粘着材が底面板から離れることを防止するためである。このため、底面板側で弾性粘着材を編み込むような微小な鈎を複数とりつけてみたり、机上面側に凹凸を設けて全面が机上に当接しないようにして粘着力を減じたり、などすることは有意義である。
【００４６】
（１．２．  取り扱いについて）
次に本実施の形態に係る補助具を使って組紐を製作する手順を、補助具の取り扱いに絡めながら、図２、図３、図６を用いて説明する。
図２は、本実施の形態に係る補助具を使用するときの使用状況説明図である。また、図３は、クリップ係止部付近を側方から見たときの使用状況説明図である。図６は、作業空間と補助具との関係を示す使用状況説明図である。
【００４７】
まず、底面板が下になるように、本補助具を作業用の机上の任意の場所に置く。すると、弾性粘着材（２０５−１、２０５−２）の作用により、机上の任意の場所で本補助具要部の組紐支持体（２０４）は弾性的に粘着する。
【００４８】
次に、組紐支持体上に組紐を取り付ける。これは、製作する組紐（２０６）を組紐支持体（２０４）の上端付近に付設されたクリップ係止部（２０１）に被せ、その上からクリップを挟む。このとき、クリップ周辺は図３に示すような位置関係になる。
すなわち、クリップはクリップ挟持部（３０２）とクリップハンドル（３０３）とによって構成されるところ、クリップ係止部（３０６）を組紐（３０４）が被い、その上からクリップ挟持部（３０２）が挟み込むようになる。
【００４９】
クリップが挟み込む挟持力はクリップ係止部（３０６）の下端部にかかる。このため、クリップと組紐、および組紐とクリップ係止部の間の摩擦力により、組紐（３０４）が紐組み作業で引っ張られたとしても、組紐支持体から容易に外れることがない。
なお、ここでは説明の都合上、クリップは金属等の弾性材料のみで出来たものを想定したが、弦巻バネを用いたペーパークリップや洗濯ばさみなど、その種類には拘らない。
【００５０】
作業空間側へ伸びるように組紐支持体（６０４）に取り付けられた組紐は、離隔部材が高さをもつために、机上から浮いた状態で支持されることになる。これは、作業者の作業点（指先の位置）を見込む目線が自然となる位置関係になることを意味する。このため、図６に示すように、作業空間側（６０１）では人手で補助具から伸びた紐を組む作業が容易かつ的確になる。
【００５１】
組紐支持体（６０４）は机上と弾性粘着材を介して弾性的に粘着している。このため、組紐を引っぱるとそれと同じ大きさの張力が組紐に生じ、加えて弾性粘着材がもつ微少な弾性変形により、固定位置が変化する。そして作業者は、手に感じた変位をもってどの程度の張力がかけられているのかを感覚的に把握することができ、その作業の的確性を確保することができるようになる。
【００５２】
なお本補助具を机上面から剥がすときには、組紐に張力をかけず、底面板のいずれの側からでもよいからゆっくり剥がす方向に力を加えていけばよい。
【００５３】
（１．３．  離隔部材と底面板とを鋭角に保つ意義）
本願考案では、弾性粘着材を用い、作業空間側の該底面板端部で該クリップ係止部と該底面板との間で鋭角をなすことに加え、クリップ係止部と底面板とを離隔する離隔部材を用いるという点に要部がある。
これを明らかにするために、図７を用いてこの意義を説明する。図７は、本実施の形態の力学的関係説明図である。
【００５４】
製作中の組紐（７１４）は、本補助具の離隔部材（７１０）の概ね上端に位置するクリップ係止部にクリップ固定（７１２）されている。このため、作業者が組紐を引くと、その力は紐の張力方向（７０３）に生じる。
【００５５】
離隔部材（７１０）に着目すると、この力は、離隔部材の伸長方向への力、すなわち図面左下方向の力（７０５−１）と、離隔部材の法線方向への力（７０４）とに分力する。
【００５６】
そして、離隔部材の伸長方向への力（７０５−１）は、離隔部材の下辺端（７０９）においては下端辺を図面左下に押圧する力（７０５−２）とみることができるから、更に底面板を図面左側に引く力（７０６）と机上面を押圧する力（７０７）とに分かれる。
【００５７】
このうち、底面板を図面左側に引く力（７０６）は、底面板（７１３）と机上面（７１５）とを弾性的に固定する弾性粘着材（７１１）に対して応力として働くことになる。
【００５８】
ここで、机上面を押圧する力（７０７）の成分があるために、離隔部材下辺端（７０９）付近では弾性粘着材（７１１）の粘着力を増加させるようになっている点に意義がある。
【００５９】
もっとも、このような力関係が生まれるのは、組紐が引かれたときの分力として離隔部材の下端辺（７０９）を図面左下に押圧する力（７０５−２）があるからである。そして、この力が生じているのは組紐が引かれるときに離隔部材との角度β（７０２）が９０°以下の鋭角になっているからである。この角度を生むためには、離隔部材（７１０）と底面板（７１３）との間の角α（７０１）が鋭角であって、かつ組紐が机上に対してほぼ平行になっていればよい。
【００６０】
組紐を机上に対してほぼ平行にするためには、手作業をする作業位置（７１６）が机上面から拳一つ分となることから、底面板からクリップ固定部分（７１２）までの距離が、机上面から手作業をする作業位置までの距離とほぼ同じか、それ以上の距離になるようにすればよい。
【００６１】
具体的にいえば、机上面から手作業をする作業位置までの距離は、大人の手の小指から人差し指までの長さとほぼ同程度である。一般に大人の手の小指から人差し指までの長さは概ね１０ｃｍ程度であるから、離隔部材としては、クリップ係止部を底面板から法線方向に１０ｃｍ以上離せばよいことになる。
【００６２】
そしてこの距離をとることと、作業空間側の該底面板端部で該クリップ係止部と該底面板との間で鋭角を作るような離隔部材の配置をとっていることとから、離隔部材を介して図面左下に押圧する力（７０５−２）は常に正の値を採ることが保証されるに至るのである。
【００６３】
なお、組紐が引かれたときに生じるもうひとつの分力（７０４）は、本補助具を机上から引き剥がす方向に働く。これの反作用として、弾性粘着材（７１１）が剥がれないようにする力（７０８）が働き、釣り合いを保つ。
【００６４】
本願考案における第一の実施の形態においては、上記のように構成したために、組紐（７１４）が引かれたときには全体として力学的な釣り合いを保つために机に固定されたままになる。一方で、主として弾性を担う弾性粘着材（７１１）には応力による変形が生じ、このため手作業で適切な反力を感じられるようになり、従ってその作業の的確性を確保することができるようになったわけである。
【００６５】
また、本実施の形態において、離隔部材の一辺を底面板に連接させたことにより、組み上げ作業中の組紐に張力をかけたときに、その張力が無理なく底面板に伝わるようになる。
すなわち他の形状をとると、力学的釣り合いを維持するために別の分力が生じるようになり、それが組紐支持体への変形力となるところ、この構成によれば変形力はほぼ下辺端（７０９）に集約されるため、この部分の変形耐性を確保すれば丈夫な補助具とすることができるのである。
【００６６】
もっとも、底面板と離隔部材との接合部分の変形耐性を備えているのであれば、底面板の端辺を離隔部材との接合点にしなくてもよい。
【００６７】
（２．  第二の実施の形態について）
次に第二の実施の形態について、図４、図５を用いて説明する。図４は、本実施の形態についての、補助具裏面斜め側方の外観図である。図５は、本実施の形態についての、クリップ係止部付近を側方から見たときの状況説明図である。
【００６８】
第二の実施の形態は、本願考案のクリップ係止部につき、別個の部材とするのではなく、離隔部材に一体として構成したものとなっている。
すなわち、本実施の形態では図４に示すように、クリップ係止部（４０１）を、離隔部材（４０２）のうち底面板と連接する辺とは反対側の縁辺近傍（図面上部）に凹設している。
【００６９】
このため、図５で見られるようにクリップ挟持部（５０２）が製作中の組紐（５０４）を離隔部材に挟み込むにあたり、クリップ挟持部の作用端は組紐をクリップ係止部（５０１）に押し込むようになる。このため、組紐に引っ張り力が加わっても容易に外れることがないようになる。
【００７０】
このように構成することで、例えば離隔部材にアクリル素材を用いた場合には、簡単な切削により本補助具の生産をすることが可能となる。また、補助具全体を軽量化することにも寄与することになる。
【００７１】
（３．  第三の実施の形態について）
次に、第三の実施の形態について、図８を用いて説明する。図８は、本実施の形態に係る外観図である。
【００７２】
本実施の形態においては、離隔部材（８０２）と底面板（８０３）とを底面板の作業空間側（８０６）ではなく、非作業空間側（８０７）で結合させたものである。
【００７３】
この実施の形態によれば、離隔部材と底面板を一体の平面板から加工する場合に折り曲げる角度を小さくすることができるので、加工が容易である。また、その平面板に折り曲げに弱い材質を用いる場合に壊れにくくなるという利点がある。もっとも、余計な幅を採ることになり、机上で本補助具が占める面積が広くなってしまうという不利益がある。
なお、第一・第二の実施の形態とでは、利益・不利益となる点が裏返しの関係になることは言うまでもない。
【００７４】
なお、このようにしても、先に説明した力学的な関係は変わらず、底面板（８０３）の作業空間側端部縁辺付近で机上面に押圧力がかかるようになる。このため、弾性粘着材（８０５−１，８０５−２）が底面板全体にわたらないときには、作業空間側縁辺付近に集約して付設すればよいことになる。こうすることで弾性粘着材の応力による剥がれが生じにくくなる。
【００７５】
また、この実施の形態によれば、作業空間側の該底面板端部からみたクリップ係止部までの方向が該底面板となす角α（８０８）は第一・第二の実施の形態よりは小さいものとなるので、弾性粘着材にかかる応力が大きくなるものの、机上面への押圧力成分が増加し、剥がれにくくなるという利点がある。
【００７６】
（４．  組紐をゴム風船素材とする場合）
既に記載の通り、考案者はゴム風船を素材に使って身の回り品や服装を製作するバルーンアートを中心に活動を行っていることから、利用を終えたバルーンの再生用途としてゴム風船を組紐の素材に用いることも広く提案している。
【００７７】
ゴム素材は表面に強い摩擦力を生じさせることから、これを用いた組紐は、ベルト、カチューシャ、グローブホルダ、ハンガー、結束バンドなど、さまざまなグッズに応用することができる。また、この提案は、ゴム風船の再利用を行うことから、再生社会への貢献にも資することになる。
【００７８】
使用済みのゴム風船で組紐を製作するには、まず風船の中に金属線等の硬質材を骨として挿入する。これにより、ゴムと骨とが一体となった線状素材が得られる。
このようにして得られる線状素材は、素材自体に長手方向の弾力性がない。このため、これを組み上げて組紐とする場合に、本考案の組紐製作補助具を用いれば組み上げ中の組紐は机に対して相対的に弾性的な固定がされているために、作業者が手に確かな張力の感触を得ながら的確な組紐製作作業を行うことができるようになる。
【００７９】
（５．  その他の実施の形態について）
本願考案は、上記のような実施の形態の他、以下のような形態も可能となる。
【００８０】
（５．１．  クリップ係止部について）
第二の実施の形態ではクリップ係止部を凹設した溝によったが、更に掘り込んで開孔とすることもできる。もっとも、これは本補助具を製造する装置が溝掘りとするよりも安価になる場合に限るべきである。開孔とするとそれだけ機械的強度が下がってしまうからである。視点を変えれば、溝を凹設する方が、開孔よりも機械的強度を保つということになる。
【００８１】
クリップ係止部は、離隔部材が平板である場合にその上端部を丸める処理をすることで実現してもよい。たとえば、離隔部材にアクリル平板を用いたときには上部縁辺付近で加熱して柔らかくし、その後に丸めるなどの処理をすればよい。
【００８２】
（５．２．  弾性粘着材を取り付ける底面板での位置について）
弾性粘着材は、底面板全面にわたらないときには作業空間側に集中的に付設するのがよいが、一方で、併せて非作業空間側にも些少ながらの弾性粘着材を付設するのが望ましい。
この点について、再度図７を参照しながら説明する。
【００８３】
作業空間側に付設した弾性粘着材内には応力に対抗する大きな力を生むことになるが、非作業空間側に付設した弾性粘着材は、本組紐支持体を引き剥がそうとする力（７０４）に対して大きな力のモーメントを生むことになる。すなわち、組紐（７１４）から力を受けた引き剥がす分力（７０４）は、下端辺（７０９）を回転中心とする力のモーメントとなり、これに対抗して回転させまいとする力のモーメントは、回転中心から離れた点にかけられたものの方が強く寄与することになる。すなわち、弾性粘着材（７１１）を介して底面板（７１３）が机上面に引かれる力につき、下辺端（７０９）付近より離れたところの力（７０８）が力のモーメントに影響する。よって、この付近で弾性粘着材（７１１）に付設したものは引き剥がし力に効果的に対抗できるのである。
【産業上の利用可能性】
【００８４】
本考案のごとくを構成することで、ひと手による組紐製作作業において、簡単に机上の自由な位置で組紐端の固定をすることができ、しかも剥がれにくく作業性のよい補助具を製造・提供することができる。
【符号の説明】
【００８５】
１０１  クリップ係止部
１０２  離隔部材
１０３  底面板
１０４  組紐支持体
１０５−１、１０５−２  弾性粘着材
２０３  クリップ
７０３  紐の張力方向の力
７０５−１、７０５−２  紐張力に起因する離隔部材伸長方向の分力
７０６  紐張力に起因する作業空間側への机上面水平力成分
７０７  紐張力に起因する机を押圧する力成分
７０８  本組紐製作補助具を机上面から剥がさないよう働く力
【図１】
0003190515.tif 000003
【図２】
0003190515.tif 000004
【図３】
0003190515.tif 000005
【図４】
0003190515.tif 000006
【図５】
0003190515.tif 000007
【図６】
0003190515.tif 000008
【図７】
0003190515.tif 000009
【図８】
0003190515.tif 000010